(57)【特許請求の範囲】
【請求項１】
両端の滑車に無端状に索条を巻き回して張架し、該索条に搬器を懸垂して運行を行う索道装置であって、
索道線路における進行方向側の索条と退行方向側の索条が横に平行に並んで配置されており、
前記搬器は、前記索道線路において前記進行方向側の索条と前記退行方向側の索条の双方から懸垂されており、
かつ、前記搬器は、前記進行方向の索条を握索して固定される握索装置を有するとともに、前記退行方向側の索条に移動可能に懸垂される走行装置を有しており、
該走行装置は、前記退行方向側の索条の上面部に当接して転動する走行ローラと、前記退行方向側の索条の下面部に当接して転動する補助輪と、該補助輪が前記退行方向側の索条を押圧するようにばね力を付勢するばねとを有しており、前記走行ローラと前記ばねに付勢された前記補助輪とで前記退行方向側の索条を前記走行装置に対して相対的に移動可能に挟持していることを特徴とする索道装置。
【発明の詳細な説明】
【技術分野】
【０００１】
本発明は、索条を無端状に循環させて空中に張り渡し、この索条に搬器を懸垂して運行を行う索道装置に関するものである。
【背景技術】
【０００２】
索道は索条を高所に張架し、この索条に搬器を懸垂及び牽引することにより人員あるいは物資を輸送する設備であり、山岳地帯などの傾斜地や観光地の輸送設備として広く利用されている。この索道設備は、利用の目的や輸送の規模等により種々の態様の設備が用いられており、代表的な例としては、スキーリフトに代表されるように搬器を一定間隔で一条の索条に固定して懸垂し、これを循環させて運行を行う方式がある。このように一条の索条から搬器が懸垂される方式の索道設備においては、搬器が一点で支持されているために、搬器の進行方向に対して横方向からの風に影響を受けて揺動し易いという特性がある。
【０００３】
一方、このような索道の別の方式として、索道線路の往路と復路をそれぞれ同方向に移動する二条の索条を配設し、この二条の索条間に搬器を固定して懸垂する方式の索道がある（例えば特許文献１参照）。
【特許文献１】特開２００４−１４８８９８号公報
【発明の開示】
【発明が解決しようとする課題】
【０００４】
上記した一条の索条から搬器が懸垂される方式の索道においては、設備全体を比較的簡易に構成することができコストが安いという利点がある一方、索条が一条であるために大きな荷重を懸垂することができない、また、搬器が横風の影響を受けて横方向に揺動し易い等の難点がある。一方、上記した二条の索条から搬器が懸垂される方式の索道においては、比較的大きな荷重を懸垂でき、また、搬器の横風による揺動も少ないという利点を有する一方で、各停留場に複数の滑車を設置しなくてはならない等、設備が複雑かつ大型化してコストが高くなるという難点がある。
【０００５】
本発明はこのような事情に鑑みてなされたものであって、設備に多大なコストを要することがなく、また、線路中の横風に対しても搬器の揺動が少ない索道装置の提供を課題としている。
【課題を解決するための手段】
【０００６】
このような課題を解決するために本発明は、両端の滑車に無端状に索条を巻き回して張架し、該索条に搬器を懸垂して運行を行う索道装置であって、索道線路における進行方向側の索条と退行方向側の索条が横に平行に並んで配置されており、前記搬器は、前記索道線路において前記進行方向側の索条と前記退行方向側の索条の双方から懸垂されており、かつ、前記搬器は、前記進行方向の索条を握索して固定される握索装置を有するとともに、前記退行方向側の索条に移動可能に懸垂される走行装置を有しており、該走行装置は、前記退行方向側の索条の上面部に当接して転動する走行ローラと、前記退行方向側の索条の下面部に当接して転動する補助輪と、該補助輪が前記退行方向側の索条を押圧するようにばね力を付勢するばねとを有しており、前記走行ローラと前記ばねに付勢された前記補助輪とで前記退行方向側の索条を前記走行装置に対して相対的に移動可能に挟持していることを特徴としている。
【発明の効果】
【０００７】
本発明においては、滑車間に無端状に索条を一循環させた一般的な索道設備の構成と同等であるため、多大なコストを必要としない。また、搬器は二条の索条から懸垂されるので、大きな搬器ないし荷重を懸垂することができ、横風による揺動も低減することができる。
【発明を実施するための最良の形態】
【０００８】
以下、本発明の実施の形態を図を参照して説明する。図４及び図５は、索道設備全体の配設関係を示す平面図及び正面図である。図において山麓側及び山頂側には、それぞれ滑車１２，１３が枢設されており、この滑車１２，１３間に索条１４が無端状に巻き回されて循環している。山麓側の滑車１２には、減速機及び電動機等からなる駆動装置１９が連結されており、この駆動装置により滑車１２が回転駆動されて索条１４が線路中を循環して移動する。山麓及び山頂の滑車１２，１３の索道線路側には、それぞれ支柱１５が立設されており、この支柱１５の上部に備えた索受け装置１６により、索条１４の両線間隔を一定に保って支承している。各支柱１５のさらに索道線路内側方向には、この支柱１５に隣接してプラットホーム１７が設けられており、索条１４に懸垂された搬器１８が索条１４の移動と共に、両プラットホーム１７間を往復運行するようにしている。
【０００９】
図１、図２及び図３に示すように搬器１８は、乗客を収容する客車２３と、客車２３の上部に連結した懸垂機２２と、この懸垂機２２の一方の上端部に枢支した握索装置２０と、懸垂機２２の他方の上端部に枢支した走行装置２１を備えている。
【００１０】
握索装置２０は、図３に示すように索条１４と平行に握索フレーム２４を備え、この握索フレーム２４の前端部と後端部にそれぞれ握索機２５を回動可能に枢着したものである。そして、握索フレーム２４の中心位置にはピン２６が装着されて懸垂機２２に枢支されており、握索装置２０全体が搬器１８の進行方向に回動可能となっている。握索機２５は、通常一般の索道設備で用いられるバネ式の握索機２５を用いればよく、この握索機２５が索条１４を強固に握索することにより搬器１８が索条１４に固定され、索条１４の移動にともなって搬器１８が牽引される。
【００１１】
一方、懸垂機２２の他端部に備えた走行装置２１は、以下のように構成されている。図２において、Ｔ字形状をなした走行フレーム２７が、Ｔ字形の交点付近の中心部においてピン２８により懸垂機２２と揺動可能に連結されている。この走行フレーム２７上部の両端部には２輪ビーム２９の中央部が揺動可能に軸支されており、各２輪ビーム２９の両端部にそれぞれ走行ローラ３０を回転可能に軸支している。この走行ローラは、外周部に索条１４の外周にほぼ合致する円弧状の溝が形成されており、この溝が索条１４の上面部に当接して案内されて転動するようにしている。
【００１２】
次いで、上記走行フレーム２７の下端部には、この走行フレーム２７を挟んで進行方向に対して前後方向に対称となるように補助輪ビーム３１を軸支している。補助輪ビーム３１は、略Ｌ字型の形状であって、前記したように基端部が走行フレーム２７にピン３４により軸支され、このピン３４を支点として揺動可能となっている。補助輪ビーム３１上部の先端部には、前記走行ローラ３０と同一構造の補助輪３２が回転可能に軸支されており、一方、両補助輪ビーム３１の下端部間には、圧縮バネ３３が介装されて両下端部が互いに離間する方向にばね力が付勢されている。したがって、このような構成によって圧縮バネ３３のばね力は、補助輪ビーム３１を介して補助輪３２が索条１４を押圧するように作用する。以上のような構成により索条１４は、走行装置２１に備えた上部の走行ローラ３０と下部の補助輪３２との間に挟持されるとともに、走行装置２１に対して相対的に移動可能に保持される。
【００１３】
次に、この実施の形態に係る索道装置の動作を説明する。図４及び図５において、プラットホーム１７から乗客が搬器１８に乗車を完了すると、滑車１２に備えた駆動装置１９を起動して運行を開始する。ここで滑車１２は、図において反時計方向に回転するように駆動されるものとし、下側の索条１４を往路側索条１４ａといい、上側の索条１４を復路側索条１４ｂということとする。したがって、滑車１２の駆動により往路側索条１４ａは、図の右側方向に移動し、復路側索条１４ｂは図の左側方向へ移動する。
【００１４】
次に、図１において搬器１８と索条１４の位置関係は、搬器１８の左端部に位置するのが往路側索条１４ａであり、右端部に位置するのが復路側索条１４ｂとなっている。往路側索条１４ａは、搬器１８の握索装置２０に備えた握索機２５により握索されており、この往路側索条１４ａに搬器１８の重量が支持されるとともに、往路側索条１４ａの移動とともに搬器１８が牽引されて移動する。一方、復路側索条１４ｂは、搬器１８の走行装置２１により相対的に移動可能に保持されているので、この復路側索条１４ｂには搬器１８の重量が支持されるものの、往路側索条１４ａの移動方向へ搬器１８が進行することが可能である。
【００１５】
以上のような本実施の形態の構成によれば、搬器１８の重量は往路側索条１４ａと復路側索条１４ｂとに分散されて支持されるので、一条の索条から搬器が懸垂される一般通常の索道形式に比して、より大きな搬器ないし荷重を吊下することができる。そしてこれを言い換えれば、同一の搬器あるいは荷重を吊下する場合には、一条の索条に搬器重量が負荷される一般通常の索道形式に比して、より小径の索条を用いればよいので経済的である。また、搬器１８は、進行方向に対して横方向に離隔した２点、すなわち往路側索条１４ａと復路側索条１４ｂが支持点となっているので、搬器１８に対する横方向からの風を受けても揺動することが少ない。
【００１６】
次に、上記のように索条１４から懸垂された搬器１８は、往路側索条１４ａに牽引されて移動し、山頂側のプラットホーム１７で停止して乗客の乗降を行う。その後、今度は滑車１２を逆方向に回転駆動して搬器１８を山麓側に運行し、前記と同様に山麓側のプラットホーム１７で停止して乗客の乗降を行う。以降は上記動作が繰り返し行われ、一台の搬器１８を往復運行して山麓側と山頂側の間で人員の輸送が行われる。
【００１７】
以上説明した実施の形態においては、人員の輸送を対象とした形態として説明を行ったが、前記搬器の形態を変更することにより、木材やコンクリート等の資材を輸送する貨物用の索道装置等、種々の輸送目的に対応させた形態で実施することが可能である。
【図面の簡単な説明】
【００１８】
【図１】進路方向から見た搬器の正面図
【図２】図１における右側面図
【図３】図１における左側面図
【図４】索道設備の概略を示す平面図
【図５】索道設備の概略を示す平面図
【符号の説明】
【００１９】
１２  滑車
１３  滑車
１４  索条
１４ａ  往路側索条
１４ｂ  復路側索条
１５  支柱
１６  索受け装置
１７  プラットホーム
１８  搬器
１９  駆動装置
２０  握索装置
２１  走行装置
２２  懸垂機
２３  客車
２４  握索フレーム
２５  握索機
２６  ピン
２７  走行フレーム
２８  ピン
２９  ２輪ビーム
３０  走行ローラ
３１  補助輪ビーム
３２  補助輪
３３  圧縮バネ
３４  ピン
【図１】
0004763505.tif 000002
【図２】
0004763505.tif 000003
【図３】
0004763505.tif 000004
【図４】
0004763505.tif 000005
【図５】
0004763505.tif 000006